(57)【特許請求の範囲】
【請求項１】
取付け天井に昇降装置本体を固定し、昇降装置本体にワイヤの一端部を固定すると共にワイヤの他端部をワイヤを巻き取るためのドラムに固定し、取付け天井の下方に配置した傾斜した内天井に取付け孔を設けると共に該取付け孔に収納孔を有する化粧枠を取付け、ワイヤで吊り下げられている昇降部に脚部を上下移動自在に取付けると共に弾性部により脚部を上方に弾性付勢し、脚部にフランジを内天井と同じ傾斜となるように取付け、フランジに照明器具を取付け、ワイヤを巻き上げてフランジが化粧枠の下面に当接し且つこの当接状態でワイヤを巻き上げることで弾性体に抗して昇降部を上昇させてワイヤを巻き上げた際に巻き上げ側が高くなるように傾斜する昇降部が当たった状態でワイヤによる巻き上げで昇降部が水平となるように回動するための当り部を昇降装置本体側に設け、昇降部の最大引き上げ状態でワイヤの巻き上げを停止するように作動されるスイッチ手段を設けた照明器具の昇降装置であって、昇降装置本体の下面の一辺側を斜めに面取りした傾斜面部とし、昇降装置本体を傾斜面部側が傾斜した内天井の高い側を向くように配置し、ワイヤの巻き上げられる側を傾斜面部側に位置させて昇降装置本体の中心より傾斜した内天井の高い側に配置して成ることを特徴とする照明器具の昇降装置。
【発明の詳細な説明】
【０００１】
【発明の属する技術分野】
本発明は、照明器具を電動で昇降させるための照明器具の昇降装置に関するものである。
【０００２】
【従来の技術】
本発明者は、照明器具を電動で昇降させるための照明器具の昇降装置として図１０に示すようなものを考えた。このものは取付け天井１に昇降装置本体２を固定し、昇降装置本体２にワイヤ３の一端部を固定すると共にワイヤ３の他端部をワイヤ３を巻き取るためのドラム４に固定し、取付け天井１の下方に配置した傾斜した内天井５に取付け孔６を設けると共に該取付け孔６に収納孔７を有する化粧枠８を取付け、ワイヤ３で吊り下げられている昇降部１０に脚部９を上下移動自在に取付けると共に弾性体１１により脚部９を上方に弾性付勢し、脚部９にフランジ１６を内天井５と同じ傾斜となるように取付け、フランジ１６に照明器具を取付け、ワイヤ３を巻き上げてフランジ１６が化粧枠８の下面に当接し且つこの当接状態でワイヤ３を巻き上げることで弾性体に抗して昇降部１０を上昇させてワイヤ３を巻き上げた際に巻き上げ側が高くなるように傾斜する昇降部１０が当たった状態でワイヤ３による巻き上げで昇降部１０が水平となるように回動するための当り部１２を昇降装置本体２側に設け、昇降部１０の最大引き上げ状態でワイヤ３の巻き上げを停止するように作動されるスイッチ手段を設けたものである。
【０００３】
【発明が解決しようとする課題】
ところで、上記従来例にあっては、昇降装置本体４の取付け方向が決められておらず、このため、図１０に示すように、ワイヤ３の巻き上げられる側（つまりワイヤ３の引き上げ側）が傾斜した内天井５の低い側になる場合があり、この時は、図１１に示すようにワイヤ３を引き上げる際、該ワイヤ３の引き上げ力により昇降部１０の傾斜した内天井５の低い側に位置する部位がやや高く且つ傾斜した内天井５の高い側に位置する部位がやや低くなるように傾くと共に、図１１のように昇降装置本体２の中心線Ｌに対して昇降部１０の中心線Ｍが傾斜した内天井５の低い側にずれて位置し、この状態で引き上げられることとなる。なお、図１０のようにワイヤ３を巻き上げる前は（つまり単に吊り下げているだけの状態では）上記昇降装置本体２の中心線Ｌと昇降部１０の中心線Ｍとは一致している。この場合、フランジ１６は常に内天井５と同じ傾斜となるように回転軸により脚部９に軸支してある。
【０００４】
上記のようにしてワイヤ３で引き上げるとフランジ１６が内天井５に設けた化粧枠８の下面に当たるが、更に、ワイヤ３を引き上げると、弾性体に抗して昇降部１０が上昇し、昇降部１０が昇降装置本体２の収納部内の側壁に当たり、ここを支点として昇降部１０が水平になるように回動すると共にマイクロスイッチを操作してモータを止めてワイヤ３の巻き取りを停止するようになっている。ここで、フランジ１６が化粧枠８に当たった状態ではフランジ１６が傾斜しているのでワイヤ３で上方に引っ張ると、上方への引き上げ力が図１２のＡ、Ｂで示す力として作用する。このうちフランジ１６が化粧枠８を押す力であるＡの力がフランジ１６を化粧枠８に対して傾斜に沿って高い側にずれさせようとする力Ｂよりも大きく設定してあるので、この時点では化粧枠８に対してフランジ１６は移動しない。しかしながら、この状態で更にワイヤ３を引き上げて前述のように昇降部１０が水平になるように回動するとフランジ１６を化粧枠８に対して傾斜に沿って高い側にずれさせようとする力Ｃが作用し、Ｂ＋Ｃの力でフランジ１６を化粧枠に対して傾斜に沿って高い側にずれて、化粧枠８に擦り傷をつけるおそれがある。
【０００５】
本発明は上記の従来例の問題点に鑑みて発明したものであって、昇降装置本体の取付け方向を簡単な構成で決めて傾斜した内天井の傾斜に対応した正確な方向に施工して、フランジを化粧枠に当接して取付ける際に擦り傷の発生を防止することができる照明器具の昇降装置を提供することを課題とするのである。
【０００６】
【課題を解決するための手段】
上記課題を解決するために本発明の照明器具の昇降装置は、取付け天井１に昇降装置本体２を固定し、昇降装置本体２にワイヤ３の一端部を固定すると共にワイヤ３の他端部をワイヤ３を巻き取るためのドラム４に固定し、取付け天井１の下方に配置した傾斜した内天井５に取付け孔６を設けると共に該取付け孔６に収納孔７を有する化粧枠８を取付け、ワイヤ３で吊り下げられている昇降部１０に脚部９を上下移動自在に取付けると共に弾性体１１により脚部９を上方に弾性付勢し、脚部９にフランジ１６を内天井５と同じ傾斜となるように取付け、フランジ１６に照明器具１４を取付け、ワイヤ３を巻き上げてフランジ１６が化粧枠８の下面に当接し且つこの当接状態でワイヤ３を巻き上げることで弾性体１１に抗して昇降部１０を上昇させてワイヤ３を巻き上げた際に巻き上げ側が高くなるように傾斜する昇降部１０が当たった状態でワイヤ３による巻き上げで昇降部１０が水平となるように回動するための当り部１２を昇降装置本体２側に設け、昇降部１０の最大引き上げ状態でワイヤ３の巻き上げを停止するように作動されるスイッチ手段を設けた照明器具の昇降装置であって、昇降装置本体２の下面の一辺側を斜めに面取りした傾斜面部１５とし、昇降装置本体２を傾斜面部１５側が傾斜した内天井５の高い側を向くように配置し、ワイヤ３の巻き上げられる側を傾斜面部１５側に位置させて昇降装置本体２の中心より傾斜した内天井５の高い側に配置して成ることを特徴とするものである。このような構成とすることで、ワイヤ３を引き上げてフランジ１６を内天井５に設けた化粧枠８の下面に当て、更に、ワイヤ３を引き上げて、弾性体に抗して昇降部１０を上昇させ、傾斜した昇降部１０が当り部１２に当たって昇降部１０が水平に回動しても、昇降部１０が水平に回動する際に生じる力Ｄはフランジ１６を傾斜の低い方にずらそうとする力となり、この力Ｄはワイヤ３によりフランジ１６が化粧枠８の下面に当たっている場合におけるフランジ１６を傾斜の高い方にずらそうとする力Ｂと反対方向の力であるため、フランジ１６は化粧枠８に対して高い方にも低い方にもずれないようにできるものである。
【０００７】
【発明の実施の形態】
以下本発明を添付図面に示す実施形態に基づいて説明する。図中２は昇降装置本体であって、内部にワイヤ３を巻き取るドラム４とドラム４を回転させるモータ１７が設けてある。この昇降装置本体２の下面の一辺側が斜めに面取りした傾斜面部１５となっている。ワイヤ３は一端部がドラム４に固定され、該ワイヤ３は昇降部本体２に設けた掛け回し用プーリ２１に掛け回して下方に導出され、更に、昇降部１０に設けた２つの方向転換用の滑車２２、２３に掛け回されて、更に上方に引き出されてワイヤ３の他端部が固定部２０により昇降装置本体２に固定してある。ここで、本発明においては、ワイヤ３のドラム４に固定されて巻き取られる側を傾斜面部１５側に位置させてある。そして本発明においては昇降装置本体２を取付け天井１ボルト４０により取付ける際、内天井５の傾斜の高い側を傾斜面部１５が向くように取付けるものである。したがって、前述のようにワイヤ３のドラム４に固定されて巻き取られる側を傾斜面部１５側に位置させてあることで、昇降装置本体２の中心より傾斜した内天井５の高い側に配置することになる。ここで、ワイヤ３のドラム４に固定されて巻き取られる側を傾斜面部１５側に位置させるに当たっては、図９の破線で示すエリアにワイヤ３のドラム４に固定されて巻き取られる側が位置していればよいということである。
【０００８】
昇降装置本体２の下面部には収納凹部４１が設けてあり、この収納凹部４１の側壁が後述する引き上げ時に傾斜した昇降部１０を水平に回動するための当り部１２となっている。昇降装置本体２には更に、照明器具１４のランプ接点４２、モータ１７の操作をするためのマイクロスイッチ４３が設けてある。ランプ接点４２には接点ばね４４が設けてある。
【０００９】
昇降部１０の下部の中央部には脚部９が上下に移動自在に取付けてある。この脚部９はばねのような弾性体１１により上方への弾性力を付勢してある。図７の実施形態においては昇降部１０の底板部２４に設けた孔２５に脚部９が上下移動自在に挿入してあり、底板部２４と脚部９の上端部の鍔片２６との間に弾性体１１が介在してあって、脚部９を上方に弾性付勢して鍔片２６を昇降部１０の底板部２４の上方の受け部２７に弾接している。
【００１０】
脚部９に設けた孔２８には回転軸２９により調整金具３０が回動自在に取付けられる。調整金具３０には弧状孔３１が設けてあり、この弧状孔３１の上縁部の複数箇所に複数の角度調整孔３２が設けてある。そして、回転軸２９は弧状孔３１にスライド自在に挿入してあって、その先端部は昇降部１０の脚部９の孔２８に挿入して取付けてある。該回転軸２９を弧状孔３１内をスライドさせて任意の角度調整孔３２に回転軸２９を通して任意の角度調整孔３２を回転軸２９に対して遊嵌状態となることで、調整金具３０が昇降部１０に対して回転自在となっている。
【００１１】
調整金具３０の下面部にはフランジ１６が取付けられる。このフランジ１６の下面部には更に照明器具フランジ１６ａが取付けられる。照明器具フランジ１６ａの下面部の中央部には照明器具吊り下げ部３３が設けてあり、この照明器具吊り下げ部３３にチェーンや紐体のような吊り部３４の上端部を回動自在に吊り下げ、該吊り部３４に照明器具１４が吊り下げてある。ここで、照明器具吊り下げ部３３が照明器具１４のフランジ１６に対して相対的に回転する回転中心となっている。
【００１２】
上記のようにして照明器具１４を吊り下げると、調整金具３０及びフランジ１６（照明器具フランジ１６ａも含む）の合計重量よりも、照明器具１４の重量がはるかに重いので、回転軸２９を複数個の角度調整孔３２のいずれの角度調整孔３２に挿入して吊り下げても、照明器具１４の吊り部３４の上端の照明器具吊り下げ部３３への吊り下げ部である回転中心が必ず回転軸２９と同一垂直線上に位置するようになる。
【００１３】
上記のように、照明器具１４を吊り下げると複数の角度調整孔３２のいずれに回転軸２９を挿入して吊り下げても、照明器具１４の回転中心と回転軸２９とが同一垂直線上に位置するが、回転軸２９を挿入する角度調整孔３２が異なると、フランジ１６の角度がそれぞれ異なる角度となる。そこで、複数の角度調整孔３２のうちそれぞれの角度調整孔３２に回転軸２９を挿入して吊り下げ支持した場合に、照明器具１４を吊り下げた状態における（つまり照明器具１４の回転中心と回転軸２９とが同一垂直線上に位置する状態における）フランジ１６のなす角度をそれぞれ内天井５のあらかじめ予定されている複数の傾斜にそれぞれ対応するように設定してある。例えば、図４において複数の角度調整孔３２のうち左から１番目の角度調整孔３２ａに回転軸２９を挿入した状態では、照明器具１４の回転中心と回転軸２９とが同一垂直線上に位置し且つフランジ１６が水平となるように設定してあり、また、左から２番目の角度調整孔３２ｂに回転軸２９を挿入した状態では、照明器具１４の回転中心と回転軸２９とが同一垂直線上に位置し且つフランジ１６が水平に対して１０°傾斜して１０°の傾斜角度の内天井５に対応するように設定してあり、また、左から３番目の角度調整孔３２ｃに回転軸２９を挿入した状態では、照明器具１４の回転中心と回転軸２９とが同一垂直線上に位置し且つフランジ１６が水平に対して２０°傾斜して２０°の傾斜角度の内天井５に対応するように設定してあり、また、左から４番目の角度調整孔３２ｄに回転軸２９を挿入した状態では、照明器具１４の回転中心と回転軸２９とが同一垂直線上に位置し且つフランジ１６が水平に対して３０°傾斜して３０°の傾斜角度の内天井５に対応するように設定してある。
【００１４】
取付け天井５の下方に配設せる内天井５には取付け孔６が形成され、この取付け孔６に化粧枠８が取付けられる。この化粧枠８には調整金具３０を取付けた昇降部１０が挿通できる大きさの収納孔７が設けてある。
しかして、照明器具１４のランプの交換や照明器具１４の掃除等の場合にはモータ１７を回転してワイヤ３を巻き戻して昇降部１０を下げることで、照明器具１４を下方に下げてランプの交換や掃除を行うものである。そして、ランプ交換や掃除が終わるとモータ１７を逆に回転してワイヤ３を巻き上げて昇降部１０を引き上げることで照明器具１４を引き上げる。
【００１５】
この場合、ワイヤ３を巻き上げる前の単にワイヤ３で吊り上げているだけの状態の時は、図１に示すように、昇降部１０の中心線Ｍと昇降装置本体２の中心線Ｌとが一致しているが、ワイヤ３を巻き上げると、昇降部１０に設けた２つの方向転換用の滑車２２、２３のうち、ワイヤ３の巻き上げ側の滑車２３が高くなるように昇降部１０が少し斜めに傾斜すると共に昇降部１０の中心線Ｍが昇降装置本体２の中心線Ｌよりも傾斜した内天井５の高い側へ移動する（図２の状態）。この時、フランジ１６は回転軸２９を中心に自由に回転するため、内天井５と同じ傾斜角度を保ちながら上昇する。上記のようにして昇降部１０をワイヤ３で引き上げて上昇させるとフランジ１６が化粧枠８の下面に当接する。このようにフランジ１６が化粧枠８に当接した状態で更にワイヤ３を巻き上げると昇降部１０が弾性体１１の弾性力に抗して上昇し、収納凹部４１内に収納され、図６のように昇降部１０がマイクロスイッチ４３を押して該マイクロスイッチ４３を押すことでモータ１７の回転を停止するものである。
【００１６】
フランジ１６が化粧枠８に当たった状態では、フランジ１６が傾斜しているのでワイヤ３で上方に引っ張ると、上方への引き上げ力が図３のＡ、Ｂで示す力として作用する。このうちフランジ１６が化粧枠８を押す力であるＡの力がフランジ１６を化粧枠８に対して傾斜に沿って高い側にずれさせようとする力Ｂよりも大きく設定してあり、化粧枠８に対してフランジ１６は傾斜に沿って上側に移動しない。そして、このフランジ１６が化粧枠８に当たった状態で更にワイヤ３を巻き上げると上記のように昇降部１０が収納凹所４１内に入り、昇降部１０が当り部１２を構成する収納凹所４１の壁に当りながら、図８のように昇降部１０が回動して水平に戻り、これによりフランジ１６を内天井５の低い側にずれさせようとする力Ｄが作用する。しかしながら、このフランジ１６に作用する力Ｄと力Ｂとは図３に示すように互いに打ち消し合う逆方向の力となるため、フランジ１６は化粧枠８に当接した状態で傾斜方向にずれることがないのである。
【００１７】
照明器具１４への電源の供給については、図４乃至図６に示すように、昇降部１０と昇降装置本体２にそれぞれランプ接点４２ａ、４２を各々２個設け、昇降部１０がマイクロスイッチ４３を押して停止する前にランプ接点４２ａ、４２同士が接触するようになっており、昇降装置本体２側のランプ接点４２には接点ばね４４が設けてあるので、ランプ接点４２ａ、４２が接触し、マイクロスイッチ４３を押すまでの間の距離を吸収している。ここで、収納凹所４１の上部内にマイクロスイッチ４３やランプ接点４２を収納したり、あるいは収納凹所４１の上面部に開口部を設けてこの開口部にランプ接点４２やマイクロスイッチ４３を臨ませるようにしたりするものである。
【００１８】
【発明の効果】
本発明にあっては、上述のように、昇降装置本体の下面の一辺側を斜めに面取りした傾斜面部とし、昇降装置本体を傾斜面部側が傾斜した内天井の高い側を向くように配置し、ワイヤのドラムに固定されて巻き取られる側を傾斜面部側に位置させて昇降装置本体の中心より傾斜した内天井の高い側に配置してあるので、ワイヤを引き上げてフランジを内天井に設けた化粧枠の下面に当て、更に、ワイヤを引き上げて、弾性体に抗して昇降部を上昇させ、傾斜した昇降部が当り部に当たって昇降部が水平に回動しても、昇降部が水平に回動する際に生じる力はフランジを傾斜の低い方にずらそうとする力となり、この力はワイヤによりフランジが化粧枠の下面に当たっている場合におけるフランジを傾斜の高い方にずらそうとする力と反対方向の力であるため、フランジは化粧枠に対して高い方にも低い方にもずれないようにでき、この結果、化粧枠に擦り傷が付かないものであっれ、化粧枠の傷付きを防止できるものである。しかも、施工に当たっては、傾斜面部を目印として傾斜面部が内天井の高い側を向くように施工するのみでワイヤの巻き上げ側を内天井の高い側に正確に位置決めさせることができるものである。
【図面の簡単な説明】
【図１】本発明の昇降部を引き下げた状態の断面図である。
【図２】同上のワイヤによる巻き上げ状態を示す断面図である。
【図３】同上の昇降部を収納した状態を示す断面図である。
【図４】同上のフランジが化粧枠に当たった時点を示す説明図である。
【図５】同上のランプ接点がオンとなった時点を示す説明図である。
【図６】同上のマイクロスイッチが操作された状態の断面図である。
【図７】同上の昇降部への脚部の取付けを示す説明図である。
【図８】同上の昇降部が水平に戻るための回動を説明するための説明図である。
【図９】同上の昇降装置本体へのワイヤの巻き上げ側を配置するエリアを説明する図面で、（ａ）は平面図であり、（ｂ）は側面図である。
【図１０】従来例を示す昇降部を引き下げた状態の断面図である。
【図１１】従来例のワイヤによる巻き上げ状態を示す断面図である。
【図１２】従来例の昇降部を収納した状態を示す断面図である。
【符号の説明】
１  取付け天井
２  昇降装置本体
３  ワイヤ
４  ドラム
５  内天井
６  取付け孔
７  収納孔
８  化粧枠
９  脚部
１０  昇降部
１１  弾性体
１２  当り部
１４  照明器具
１５  傾斜面部
１６  フランジ
【図１】
0003645646.tif 000002
【図２】
0003645646.tif 000003
【図３】
0003645646.tif 000004
【図４】
0003645646.tif 000005
【図５】
0003645646.tif 000006
【図６】
0003645646.tif 000007
【図７】
0003645646.tif 000008
【図８】
0003645646.tif 000009
【図９】
0003645646.tif 000010
【図１０】
0003645646.tif 000011
【図１１】
0003645646.tif 000012
【図１２】
0003645646.tif 000013